(57)【要約】【課題】  相手側の情報通信端末との接続中において、その相手側の端末との間で情報の授受を行うことが可能な情報通信端末を提供すること【解決手段】  本発明のテレビ電話機１０は、映像及び音声を、テレビ電話機２０との間で交換することが可能な情報通信端末であって、テレビ電話機２０との間における、映像チャネル及び音声チャネルの開設要求を受け付ける発呼受付部１１と、開設要求の受け付けに応じて、テレビ電話機２０との間においてデータチャネルの開設要求を通信網４０へ送信する開設要求部１４と、テレビ電話機２０との間でデータチャネルが開設されると、開設されたデータチャネルを経由してテレビ電話機２０に所定のデータを送信するデータ送受信部１６と、テレビ電話機２０との間でデータチャネルが開設された後に、通信網４０との間で映像チャネル及び音声チャネルの開設を行うチャネル開設部１９とを備える。【選択図】  図１
2006197131.tif 000002
【特許請求の範囲】
【請求項１】
当該情報通信端末の周囲における映像及び音声を、他の情報通信端末との間で連続的に交換することが可能な情報通信端末であって、
前記他の情報通信端末との間における、前記映像を伝播する映像チャネル及び前記音声を伝播する音声チャネルの開設要求を受け付ける発呼受付手段と、
当該開設要求の受け付けに応じて、前記他の情報通信端末との間においてデータを交換するためのデータチャネルの開設要求を当該情報通信端末が属する通信網へ送信する開設要求手段と、
当該データチャネルの開設要求に応じて、前記他の情報通信端末との間でデータチャネルが開設されると、当該開設されたデータチャネルを経由して前記他の情報通信端末に所定のデータを送信するデータ送信手段と、
前記他の情報通信端末との間でデータチャネルが開設された後に、前記通信網との間で前記映像チャネル及び前記音声チャネルの開設を行うチャネル開設手段と、
を備える情報通信端末。
【請求項２】
前記発呼受付手段が前記開設要求を受け付けると、当該情報通信端末の通信能力を示すバージョン情報を前記他の情報通信端末へ送信するバージョン情報送信手段と、
当該バージョン情報の送信に応じて前記他の情報通信端末から送信される、前記他の情報通信端末の通信能力を示すバージョン情報を受信するバージョン情報受信手段を備え、
当該受信したバージョン情報と、前記バージョン情報送信手段が送信したバージョン情報との照合結果に応じて、前記開設要求手段が前記開設要求を前記通信網に送信することを特徴とする請求項１に記載の情報通信端末。
【請求項３】
前記発呼受付手段が前記開設要求を受け付けると、前記通信網に対して前記他の情報通信端末がデータ通信可能か否かを問い合わせる相手先問合せ手段と、
当該問合せに応じて前記通信網から前記他の情報通信端末がデータ通信可能であるとの返答が送信されてきた場合に、前記開設要求手段が前記開設要求を前記通信網に送信することを特徴とする請求項１又は２に記載の情報通信端末。
【請求項４】
前記他の情報通信端末との間でデータチャネルが開設されると、当該開設されたデータチャネルを経由して前記他の情報通信端末から送信されるデータを受信するデータ受信手段を備える請求項１〜３のいずれか１項に記載の情報通信端末。
【請求項５】
当該情報通信端末の周囲における映像及び音声を、他の情報通信端末との間で連続的に交換することが可能な情報通信端末であって、
当該情報通信端末が属する通信網から送信される、前記他の情報通信端末との間においてデータを交換するためのデータチャネルの開設要求を受け付ける開設受付手段と、
当該データチャネルの開設要求に応じて、前記他の情報通信端末との間でデータチャネルが開設されると、当該開設されたデータチャネルを経由して前記他の情報通信端末に所定のデータを送信するデータ送信手段と、
前記他の情報通信端末との間でデータチャネルが開設された後に、前記通信網との間で前記映像チャネル及び前記音声チャネルの開設を行うチャネル開設手段と、
を備える情報通信端末。
【請求項６】
前記他の情報通信端末との間でデータチャネルが開設されると、当該開設されたデータチャネルを経由して前記他の情報通信端末から送信されるデータを受信するデータ受信手段を備える請求項５に記載の情報通信端末。
【発明の詳細な説明】
【技術分野】
【０００１】
本発明は、周囲における映像及び音声を、他の情報通信端末との間で連続的に交換することが可能な情報通信端末に関する。
【背景技術】
【０００２】
情報通信端末の周囲における映像及び音声を、他の情報通信端末との端末間で連続的に交換することが可能な情報通信端末として、例えば、テレビ電話機がある。テレビ電話機の通信システムでは、映像と音声を他のテレビ電話機と交換するために、映像チャネル及び音声チャネルを端末間に確立する。この映像チャネル及び音声チャネルの確立を含むテレビ電話の接続シーケンスには、最低６〜８秒程度の時間を要し、ユーザにストレスを与える原因となっていた。そこで、テレビ電話の接続シーケンスを短縮するための提案がなされている（下記特許文献１参照）。
【特許文献１】特開平７−１１５６３０号公報
【発明の開示】
【発明が解決しようとする課題】
【０００３】
しかしながら、いかにテレビ電話の接続シーケンスを短縮したとしても、音声のみの電話の接続シーケンスと比較して、少なくとも映像チャネルを確立するための時間は余分にかかることになる。
【０００４】
そこで、本発明者らは、テレビ電話の接続シーケンスを短縮するのとは別の観点から、テレビ電話のユーザが接続時に感じる時間的負担を軽減することができないか検討を行った。
【０００５】
本発明はこの検討の結果見出されたものであり、相手側の情報通信端末との接続中において、その相手側の端末との間で情報の授受を行うことが可能な情報通信端末を提供することを課題とする。
【課題を解決するための手段】
【０００６】
本発明の情報通信端末は、情報通信端末の周囲における映像及び音声を、他の情報通信端末との間で連続的に交換することが可能な情報通信端末であって、他の情報通信端末との間における、映像を伝播する映像チャネル及び音声を伝播する音声チャネルの開設要求を受け付ける発呼受付手段と、開設要求の受け付けに応じて、他の情報通信端末との間においてデータを交換するためのデータチャネルの開設要求を情報通信端末が属する通信網へ送信する開設要求手段と、データチャネルの開設要求に応じて、他の情報通信端末との間でデータチャネルが開設されると、開設されたデータチャネルを経由して他の情報通信端末に所定のデータを送信するデータ送信手段と、他の情報通信端末との間でデータチャネルが開設された後に、通信網との間で映像チャネル及び音声チャネルの開設を行うチャネル開設手段と、を備える。
【０００７】
本発明によれば、映像チャネル及び音声チャネルの開設要求の受け付けに応じて、データチャネルの開設要求が通信網に送信されるので、映像チャネル及び音声チャネルの開設に先立ってデータチャネルが開設される。従って、映像及び音声をやり取りする前に所定のデータを他の情報通信端末に送信することができる。
【０００８】
また本発明の情報通信端末は、発呼受付手段が開設要求を受け付けると、当該情報通信端末の通信能力を示すバージョン情報を他の情報通信端末へ送信するバージョン情報送信手段と、当該バージョン情報の送信に応じて他の情報通信端末から送信される、他の情報通信端末の通信能力を示すバージョン情報を受信するバージョン情報受信手段を備え、当該受信したバージョン情報と、バージョン情報送信手段が送信したバージョン情報との照合結果に応じて、開設要求手段が開設要求を通信網に送信することも好ましい。
【０００９】
本発明のこの好ましい態様によれば、情報通信端末の通信能力を示すバージョン情報を通信相手先に送信すると共に、その通信相手先である他の情報通信端末からバージョン情報を受信するので、バージョン情報を交換することができ、互いの通信能力を簡便に把握することができる。その交換したバージョン情報の照合結果に応じて開設要求を通信網に送信するので、各チャネルの開設を円滑に行うことができる。
【００１０】
また本発明の情報通信端末は、発呼受付手段が開設要求を受け付けると、通信網に対して他の情報通信端末がデータ通信可能か否かを問い合わせる相手先問合せ手段と、当該問合せに応じて通信網から他の情報通信端末がデータ通信可能であるとの返答が送信されてきた場合に、開設要求手段が開設要求を通信網に送信することも好ましい。通信網が把握している他の情報通信端末についての情報を利用し、他の情報通信端末がデータ通信可能か否かを判断できるので、データ通信が可能な場合にのみ開設要求を通信網に送信することができる。従って、相手先がデータ通信不可能な場合に開設要求を通信網に送信し続けるといった無駄な処理を省くことができる。
【００１１】
また本発明の情報通信端末は、他の情報通信端末との間でデータチャネルが開設されると、開設されたデータチャネルを経由して他の情報通信端末から送信されるデータを受信するデータ受信手段を備えることも好ましい。データチャネルの開設後に他の情報通信端末からデータを受信するので、映像チャネル及び音声チャネルが開設される前に、データを受信することができる。
【００１２】
本発明の情報通信端末は、情報通信端末の周囲における映像及び音声を、他の情報通信端末との間で連続的に交換することが可能な情報通信端末であって、情報通信端末が属する通信網から送信された、他の情報通信端末との間においてデータを交換するためのデータチャネルの開設要求を受け付ける開設受付手段と、データチャネルの開設要求の受け付けに応じて、他の情報通信端末との間でデータチャネルが開設されると、開設されたデータチャネルを経由して他の情報通信端末に所定のデータを送信するデータ送信手段と、他の情報通信端末との間でデータチャネルが開設された後に、通信網との間で前記映像チャネル及び音声チャネルの開設を行うチャネル開設手段と、を備える。
【００１３】
本発明によれば、通信網から送信されるデータチャネルの開設要求の受け付けに応じて、映像チャネル及び音声チャネル開設に先立って、他の情報通信端末との間にデータチャネルの開設がなされるので、映像及び音声をやり取りする前に所定のデータを他の情報通信端末に送信することができる。
【００１４】
また、本発明の情報通信端末では、他の情報通信端末との間でデータチャネルが開設されると、開設されたデータチャネルを経由して他の情報通信端末から送信されるデータを受信するデータ受信手段を備えることも好ましい。データチャネルの開設後に他の情報通信端末からデータを受信するので、映像チャネル及び音声チャネルが開設される前に、データを受信することができる。
【発明の効果】
【００１５】
本発明によれば、相手側の情報通信端末との接続中において、その相手側の端末との間で情報の授受を行うことが可能な情報通信端末を提供することができる。
【発明を実施するための最良の形態】
【００１６】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１７】
本実施形態の情報通信端末について図１を参照しながら説明する。テレビ電話機１０（情報通信端末）とテレビ電話機２０（情報通信端末）は、互いにそれぞれの周囲における映像及び音声を、通信網４０を介して連続的に交換するテレビ電話通信ができるように構成されている。また、テレビ電話端末１０は、通信網４０に属する加入者サーバ３０と情報の送受信ができるように構成されている。本実施形態では、テレビ電話機１０を発呼側、テレビ電話機２０を着呼側、としてそれぞれ説明する。尚、テレビ電話機１０が着呼側、テレビ電話機２０が発呼側、となってもよく、その場合は相手側の機能的な構成要素（詳細は後述する）を備えることとなる。
【００１８】
通信網４０には加入者サーバ３０も通信可能なように接続されている。加入者サーバ３０は、電話番号を受信すると、受信した電話番号に対応する電話端末の端末情報を生成して返信する。本実施形態において端末情報とは、その端末情報に関連付けられた端末がデータ通信を行うことが可能か否かを特定する情報を含んでいる。加入者サーバ３０は、データ通信を行うことが可能なテレビ電話機を特定する電話番号を格納している。加入者サーバ３０は、受信した電話番号と格納した電話番号との照会結果に基づいて端末情報を生成する。
【００１９】
続いてテレビ電話機１０及びテレビ電話機２０についてそれぞれ説明する。テレビ電話機１０及びテレビ電話機２０は、物理的には、ＣＰＵ、メモリー、電源、パワーアンプ、周波数変換チップ、アンテナ、及び入出力インターフェイス部といった要素から構成される情報通信装置である。
【００２０】
まず、テレビ電話機１０の機能的な構成要素について説明する。テレビ電話機１０は、機能的な構成要素として、発呼受付部１１（発呼受付手段）と、相手先問合せ部１２（相手先問合せ手段）と、バージョン情報送受信部１３（バージョン情報送信手段、バージョン情報受信手段）と、開設要求部１４（開設要求手段）と、データチャネル開設部１５（データチャネル開設手段）と、データ送信部１６（データ送信手段、データ受信手段）、データ設定部１７、データ再生部１８、チャネル開設部１９（チャネル開設手段）とを備える。引き続いて、テレビ電話機１０の各構成要素について説明する。
【００２１】
発呼受付部１１は、テレビ電話機２０との間における、映像を伝播する映像チャネル及び音声を伝播する音声チャネルの開設要求を受け付ける部分である。発呼受付部１１は、開設要求を受け付けると、開設要求を受け付けた旨を示す情報と発呼先であるテレビ電話機２０の電話番号とを相手先問合せ部１３へ出力する。
【００２２】
相手先問合せ部１２は、発呼受付部１１が開設要求を受け付けると、通信網４０に対してテレビ電話機２０がデータ通信可能か否かを問い合わせる部分である。相手先問合せ部１２は、接続要求としてテレビ電話機２０の電話番号を通信網４０へ送信する。この接続要求は通信網４０から加入者サーバ３０へ送信される。従って、相手先問合せ部１２は、テレビ電話機２０の電話番号を通信網４０を介して加入者サーバ３０へ送信していることになる。
【００２３】
相手先問合せ部１２は、テレビ電話機２０の電話番号の送信に応じて加入者サーバ３０から返信されるテレビ電話機２０の端末情報を、通信網４０を介して受信する。相手先問合せ部１２は、受信したテレビ電話機２０の端末情報をバージョン情報送受信部１３へ出力する。
【００２４】
バージョン情報送受信部１３は、相手先問合せ部１２から入力された端末情報がデータ通信可能であることを示す場合に、テレビ電話機１０の通信能力を示すバージョン情報をテレビ電話機２０へ送信する部分である。バージョン情報とは、映像圧縮プロトコル、音声圧縮プロトコル、フレームレート、通信速度等の通信能力を示す各項目についての仕様と関連づけられた、テレビ電話機のバージョンを示す情報である。更に、バージョン情報送受信部１３は、バージョン情報の送信に応じてテレビ電話機２０から返信される、テレビ電話機２０の通信能力を示すバージョン情報を受信する部分である。バージョン情報送受信部１３は、受信したバージョン情報を開設要求部１４とチャネル開設部１９へ出力する。
【００２５】
バージョン情報送受信部１３は、端末情報がデータ通信可能ではないことを示す場合には、映像圧縮プロトコル、音声圧縮プロトコル、フレームレート、通信速度等の通信能力を示す各項目についてそれぞれテレビ電話機２０と情報を交換する。交換したテレビ電話機２０の通信能力仕様を示す情報をチャネル開設部１９へ出力する。
【００２６】
開設要求部１４は、テレビ電話機２０との間においてデータを交換するためのデータチャネルの開設要求を通信網４０へ送信する部分である。開設要求部１４は、バージョン情報送受信部１３が受信したバージョン情報と、バージョン情報送受信部１３が送信したバージョン情報と、の照合結果に応じて開設要求を通信網４０に送信する。開設要求部１４は、開設要求を送信すると、開設要求を送信した旨をデータチャネル開設部１５へ出力する。
【００２７】
データチャネル開設部１５は、開設要求に応じて通信網４０との間にデータチャネルを開設する部分である。データチャネル開設部１５は、データチャネルを開設すると、データチャネルを開設した旨を示す情報をデータ送受信部１６へ出力する。
【００２８】
データ送受信部１６は、開設されたデータチャネルを経由してテレビ電話機２０に、後述するデータ設定部１７から出力されたデータを送信する部分である。データ送受信部１６は、データを送信すると、データ送信済みの旨を示す情報をチャネル開設部１９へ出力する。
【００２９】
また、データ送受信部１６は、テレビ電話機２０から開設されたデータチャネルを経由して送信されるデータを受信する部分である。データ送受信部１６は、データを受信すると、受信したデータをデータ再生部１８へ出力する。
【００３０】
データ設定部１７は、ユーザの入力に応じてデータの設定を行う部分である。
データとは、データチャネルにて送受信可能なデータであって、映像チャネルや音声チャネルにて連続的に送受信される映像データや音声データよりも容量が小さいデータである。例えば、数秒程度の音声データである。設定したデータは、データ送受信部１６へ出力する。
【００３１】
データ再生部１８は、データ送受信部１６から出力されたデータを再生する部分である。
【００３２】
チャネル開設部１９は、バージョン情報がバージョン情報送受信部１３から出力された場合に、データが送信された後に、通信網４０との間に映像チャネル及び音声チャネルを開設する部分である。この場合、チャネル開設部１９は、バージョン情報送受信部１３が受信したバージョン情報と、バージョン情報送受信部１３が送信したバージョン情報と、の照合結果に応じて、映像チャネル及び音声チャネルを開設する。チャネル開設部１９は、バージョン情報送受信部１３から通信能力仕様を示す情報を出力された場合は、データチャネルの開設を待たずに、通信能力仕様を示す情報に応じて通信網４０との間に映像チャネル及び音声チャネルを開設する。
【００３３】
次に、テレビ電話機２０の機能的な構成要素について説明する。テレビ電話機２０は、機能的な構成要素として、バージョン情報送受信部２３、開設受付部２４（開設受付手段）、データチャネル開設部２５、データ送受信部２６（データ送信手段、データ受信手段）、データ設定部２７、データ再生部２８、チャネル開設部２９（チャネル開設手段）とを備える。引き続いて、テレビ電話機２０の各構成要素について説明する。
【００３４】
バージョン情報送受信部２３は、テレビ電話機１０から送信されるテレビ電話機１０のバージョン情報を受信して、テレビ電話機２０のバージョン情報をテレビ電話機１０へ返信する部分である。
【００３５】
開設受付部２４は、通信網４０から送信される、テレビ電話機１０との間においてデータを交換するためのデータチャネルの開設要求を受け付ける部分である。開設受付部２４は、開設要求を受け付けると、開設要求を受け付けた旨を示す情報をデータチャネル開設部２５へ出力する。
【００３６】
データチャネル開設部２５は、開設受付部２４による開設要求の受け付けに応じて通信網４０との間にデータチャネルを開設する部分である。
【００３７】
データ送受信部２６は、開設されたデータチャネルを経由してテレビ電話機１０から送信されるデータを受信する部分である。データ送受信部２６は、受信したデータをデータ再生部２８へ出力する。データ送受信部２６は、データを受信するとデータ受信済みの旨を示す情報をチャネル開設部２９へ出力する。
【００３８】
また、データ送受信部２６は、開設されたデータチャネルを経由してテレビ電話機１０へ、後述するデータ設定部２７から出力されたデータを送信する部分である。
【００３９】
データ設定部２７は、ユーザの入力に応じてデータの設定を行う部分である。
設定したデータは、データ送受信部２６へ出力する。
【００４０】
データ再生部２８は、データ送受信部２６から出力されたデータを再生する部分である。
【００４１】
チャネル開設部２９は、データが受信された後に、通信網４０との間に映像チャネル及び音声チャネルを開設する部分である。この場合、チャネル開設部２９は、バージョン情報送受信部２３が受信したバージョン情報と、バージョン情報送受信部２３が送信したバージョン情報と、の照合結果に応じて、映像チャネル及び音声チャネルを開設する。
【００４２】
引き続いて、テレビ電話機１０における、テレビ電話機２０とのテレビ電話通信の接続動作について図２を参照しながら説明する。図２は、テレビ電話機１０の動作を説明するフローチャートである。
【００４３】
予め、ユーザの入力に応じたデータの設定が、データ設定部１７によって行われる（ステップ５１）。
【００４４】
データの設定が行われた後に、映像チャネル及び音声チャネルの開設要求が発呼受付部１２によって受け付けられる（ステップ５２）。開設要求が受け付けられると、テレビ電話機２０との接続要求として、テレビ電話機２０の電話番号が相手先問合せ部１３によって通信網４０へ送信される（ステップ５３）。送信された電話番号に応じて、通信網４０から返信されるテレビ電話機２０の端末情報が、相手先問合せ部１２によって受信される（ステップ５４）。
【００４５】
端末情報が受信されると、その端末情報がテレビ電話機２０がデータ通信可能である旨を示す場合（ステップ５５でＹＥＳ）は、テレビ電話機２０へテレビ電話機１０のバージョン情報が、バージョン情報送受信部１３によって送信される（ステップ５６）。バージョン情報が送信されると、バージョン情報の送信に応じてテレビ電話機２０から返信されるテレビ電話機２０のバージョン情報が、バージョン情報送受信部１３によって受信される（ステップ５７）。
【００４６】
バージョン情報が受信されると、データチャネルの開設要求が、開設要求部１４によって通信網４０へ送信される（ステップ５８）。データチャネルの開設要求が送信されると、通信網４０との間でデータチャネルの開設が、データチャネル開設部１５によって行われる（ステップ５９）。
【００４７】
データチャネルが開設されると、データ設定部１７によって設定されたデータが、データ送受信部１６によってテレビ電話機２０へ送信される（ステップ６０）。データが送信されると、チャネル開設部１９によって、映像チャネル及び音声チャネルが通信網４０との間に開設される（ステップ６２）。
【００４８】
相手先問合せ部１２によって受信された端末情報が、テレビ電話機２０がデータ通信可能でない旨を示す場合（ステップ５５でＮＯ）、バージョン情報送受信部１３によって、通信能力仕様を示す情報がテレビ電話機２０と交換される（ステップ６１）。通信能力仕様を示す情報の交換がなされると、チャネル開設部１９によって、映像チャネル及び音声チャネルが通信網４０との間に開設される（ステップ６２）。
【００４９】
テレビ電話機２０における、テレビ電話機１０とのテレビ電話通信の接続動作について図３を参照しながら説明する。図３は、テレビ電話機２０の動作を説明するフローチャートである。
【００５０】
テレビ電話機１０から送信されたテレビ電話機１０のバージョン情報が、バージョン情報送受信部２３によって受信される（ステップ７１）。テレビ電話機１０のバージョン情報が受信されると、テレビ電話機２０のバージョン情報が、バージョン情報送受信部２３によってテレビ電話機１０へ送信される（ステップ７２）。
【００５１】
バージョン情報が送信されると、通信網４０から送信される開設要求が開設受付部２４によって受け付けられる（ステップ７３）。開設要求が受け付けられると、データチャネル開設部２５によって、通信網４０との間にデータチャネルが開設される（ステップ７４）。
【００５２】
データチャネルが開設されると、テレビ電話機１０から送信されたデータが、データ送受信部２６によって受信される（ステップ７５）。データが受信されると、データ再生部２８によって受信されたデータの再生が開始される（ステップ７６）。データが受信されると、チャネル開設部２９によって映像チャネル及び音声チャネルが開設される（ステップ７７）。
【００５３】
引き続いて、テレビ電話機１０とテレビ電話機２０とのテレビ電話通信の接続シーケンスについて図４を参照しながら説明する。
【００５４】
テレビ電話２０の電話番号が、相手先問合せ部１２によって、テレビ電話１０から通信網４０へ送信される（ステップ８１）。テレビ電話機２０の電話番号が通信網４０へ送信されると、テレビ電話機２０の電話番号が通信網４０から加入者サーバ３０へ送信される（ステップ８２）。
【００５５】
テレビ電話機２０の電話番号が加入者サーバ３０へ送信されると、テレビ電話機２０の端末情報が加入者サーバ３０から通信網４０へ送信される（ステップ８３）。テレビ電話機２０の端末情報が通信網４０へ送信されると、そのテレビ電話機２０の端末情報が通信網４０からテレビ電話機１０へ送信される（ステップ８４）。
【００５６】
テレビ電話機２０の端末情報がテレビ電話機１０へ送信されると、テレビ電話１０とテレビ電話２０との間で通信網４０を介したコネクションの確立がなされる（ステップ８５）。
【００５７】
コネクションの確立がなされると、テレビ電話機１０のバージョン情報が、バージョン情報送受信部１３によってテレビ電話機１０からテレビ電話機２０へ送信される（ステップ８６）。テレビ電話機１０のバージョン情報が送信されると、テレビ電話機２０のバージョン情報が、バージョン情報送受信部２３によってテレビ電話機２０からテレビ電話機１０へ送信される（ステップ８７）。
【００５８】
テレビ電話機２０のバージョン情報が送信されると、データチャネルの開設要求が、開設要求部１４によってテレビ電話機１０から通信網４０へ送信される（ステップ８８）。データチャネルの開設要求がテレビ電話機１０から通信網４０へ送信されると、データチャネルの開設要求が、通信網４０からテレビ電話機２０へ送信される（ステップ８９）。
【００５９】
データチャネルの開設要求がテレビ電話機２０へ送信されると、データチャネルの開設要求に応じたデータチャネルが、データチャネル開設部１５及びデータチャネル開設部２５によって、テレビ電話機１０とテレビ電話機２０との間に開設される（ステップ９０）。
【００６０】
データチャネルが開設されると、データがテレビ電話機１０からテレビ電話機２０へデータ送受信部１６によって送信される（ステップ９１）。データが送信されると、テレビ電話機２０のデータ再生部２８によって、送信されたデータの再生が開始される（ステップ９２）。
【００６１】
テレビ電話機２０においてデータが再生されている間に、テレビ電話機１０とテレビ電話機２０との間に映像チャネル及び音声チャネルが、チャネル開設部１９及びチャネル開設部２９によって開設される（ステップ９３）。
【００６２】
本実施形態に係るテレビ電話機１０及びテレビ電話機２０の効果について説明する。テレビ電話機１０において、映像チャネル及び音声チャネルの開設要求の受け付けに応じて、データチャネルの開設要求が通信網４０へ送信される。よって、映像チャネル及び音声チャネルの開設に先立って、テレビ電話機１０とテレビ電話機２０との間にデータチャネルが開設される。従って、映像チャネル及び音声チャネルの開設中に、テレビ電話機１０とテレビ電話機２０との間で情報の授受を行うことが可能となる。
【００６３】
また、バージョン情報送受信部１３及びバージョン情報送受信部２３によって、バージョン情報を相互に交換するので、互いの通信能力を簡便に把握することができる。その交換したバージョン情報の照合結果に応じてデータチャネルの開設要求を通信網４０へ送信するので、各チャネルの開設を円滑に行うことができる。
【００６４】
また、テレビ電話機１０において、テレビ電話機２０の端末情報を通信網４０から受信するので、通信網４０が把握している情報を利用して、テレビ電話機２０がデータ通信可能か否かを判断できる。よって、データ通信が可能な場合にのみ開設要求を通信網４０に送信することができる。従って、テレビ電話機２０がデータ通信不可能な場合に、データチャネルの開設要求を通信網４０に送信し続けるといった無駄な処理を省くことができる。
【００６５】
上記実施形態において、テレビ電話機１０からテレビ電話機２０へデータを送信する例について説明したが、テレビ電話機２０からテレビ電話機１０へデータを送信してもよい。テレビ電話機２０からテレビ電話機１０へデータを送信する場合は、データチャネルが開設されてから次のような動作がなされる。
【００６６】
データチャネルが開設されると、テレビ電話機２０のデータ設定部２７によって予め設定されたデータを、テレビ電話機２０のデータ送受信部２６によってテレビ電話機１０へ送信する。データがテレビ電話機１０へ送信されると、テレビ電話機１０のデータ送受信部１６によってデータが受信される。テレビ電話機１０においてデータが受信されると、テレビ電話機１０のデータ再生部１８によって、受信したデータの再生が開始される。データの再生中に、映像チャネル及び音声チャネルが開設される。従って、テレビ電話接続中に、テレビ電話機間で相互にデータを送受信することができる。
【００６７】
また、テレビ電話機２０においてデータの再生中に映像チャネル及び音声チャネルの開設が完了した場合、テレビ電話通信へ移行する方法を、テレビ電話機１０において設定できるようにしてもよい。例えば、「データを規定時間再生した後にテレビ電話通信に移行する」、「データを最後まで再生してからテレビ電話通信に移行する。」又は「テレビ電話機２０の操作により、データの再生が途中でもテレビ電話通信に移行できる。」といった項目について、テレビ電話機１０において設定できるようにしてもよい。また、テレビ電話機１０から発呼して、テレビ電話機２０からデータを送信した場合には、テレビ電話通信への移行方法について、テレビ電話機１０において選択できるようにしてもよい。
【００６８】
また、データチャネルを介して送受信されるデータは音声に限らず、テキストデータやアプリケーション等でもよい。例えば、テレビ電話機２０において着信時にキャラクターが表示されるように設定されている場合に、そのキャラクターの動きを制御するコマンド情報を、テレビ電話機１０からテレビ電話機２０へデータチャネルを介して送信してもよい。他にも、広告情報やメッセージ、サイトメニューなどのデータをデータチャネルを介して送受信してもよい。このように、テレビ電話接続中にテレビ電話機１０とテレビ電話機２０との間で様々なデータの送受信ができる。
【図面の簡単な説明】
【００６９】
【図１】本実施形態であるテレビ電話機の構成を説明するための図である。
【図２】本実施形態であるテレビ電話機の動作を説明するフローチャートである。
【図３】本実施形態であるテレビ電話機の動作を説明するフローチャートである。
【図４】本実施形態であるテレビ電話機間における接続のシーケンスを説明する図である。
【符号の説明】
【００７０】
１０・・・テレビ電話機、１１・・・発呼受付部、１２・・・相手先問合せ部、１３・・・バージョン情報送受信部、１４・・・開設要求部、１５・・・データチャネル開設部、１６・・・データ送受信部、１７、データ設定部、１８・・・データ再生部、１９・・・チャネル開設部、２０・・・テレビ電話機、２３・・・バージョン情報送受信部、２４・・・開設受付部、２５・・・データチャネル開設部、２６・・・データ送受信部、２７・・・データ設定部、２８・・・データ再生部、２９・・・チャネル開設部、３０・・・加入者サーバ、４０・・・通信網。
【図１】
2006197131.tif 000003
【図２】
2006197131.tif 000004
【図３】
2006197131.tif 000005
【図４】
2006197131.tif 000006